(57)【要約】【課題】閉鎖時の遮音性や光漏れ防止性能の高い、閉鎖状態と開放状態を切り替えることができる格子付き扉を提供する。【解決手段】複数の格子４で構成された格子戸の、それぞれの格子４が隣接する格子どうしを近接及び離間可能に連結子６で連結されているため、格子付き扉の閉鎖状態と開放状態の切り替えにおいて、第１格子戸２及び第２格子戸３の格子をそれぞれ近接させて格子どうしを連続させ、第１格子戸２及び第２格子戸３をスリットのない扉としたうえで、引き違い状態に配置することで閉鎖状態にすることができる。また、第１格子戸２及び第２格子戸３の格子をそれぞれ離間させ、第１格子戸２及び第２格子戸３をスリットのある扉としたうえで、第１格子戸と第２格子戸の格子同士を相対して配置することで開放状態にすることができる。【選択図】    図１
2010222835.tif 000002
【特許請求の範囲】
【請求項１】
それぞれ平行に配置される第１格子戸と第２格子戸からなる引き戸型の格子付き扉であって、
第１格子戸及び第２格子戸はそれぞれ複数の格子で構成され、
該各格子は隣接する格子どうしを近接及び離間可能に連結子で連結されており、
第１格子戸及び第２格子戸のそれぞれの格子どうしが近接し、第１格子戸及び第２格子戸により開口部を遮蔽する閉鎖状態と、第１格子戸と第２格子戸のそれぞれの格子が離間し、第１格子戸と第２格子戸の格子同士を相対して配置し、開口部にスリットを形成する開放状態とに切り替え可能であることを特徴とする格子付き扉。
【請求項２】
第１格子戸の一方の端部側の操作対象格子と、該第１格子戸の操作対象格子と反対側の格子と同じ側にある、第２格子戸の操作対象格子とが、一方の格子の移動と連動して移動するように連結されている請求項２に記載の格子付き扉。
【請求項３】
前記第１格子戸及び前記第２格子戸の操作対象格子とは反対側の格子が、それぞれ開口部の枠体に固定されている請求項２に記載の格子付き扉。
【発明の詳細な説明】
【技術分野】
【０００１】
本発明は、閉鎖状態と開放状態に切り替え可能な格子付きの扉に関する。
【背景技術】
【０００２】
従来より無双窓といわれる、スリットの入った格子戸を２枚平行に重ね合わせ、格子戸の位置を調整することによって、スリットどうしをずらして配置したり、スリットどうしを一致させて配置することで、閉鎖状態と開放状態を切り替えて利用することが行われていた。閉鎖状態と開放状態を切り替えることで、閉鎖状態では、視線の遮りを、開放状態では、通風や採光を確保することができる。
【先行技術文献】
【特許文献】
【０００３】
【特許文献１】特開２００６−１３８０８１号公報
【発明の概要】
【発明が解決しようとする課題】
【０００４】
しかし、近年プライバシーが重視され、閉鎖時の遮音性や光漏れなどについて、十分な性能が求められるようになっているが、従来のスリットの入った２枚の格子戸を、それぞれスリット位置をずらして配置したのでは、格子戸どうしの召し合わせ箇所が多く、また召し合わせ部の密閉性の確保が難しく、低遮音性や光漏れなどの原因となっていた。
【０００５】
本発明は、以上のような問題点に鑑み、閉鎖時の遮音性や光漏れ防止性能の高い、閉鎖状態と開放状態を切り替えることができる格子付き扉を提供することを課題とする。
【課題を解決するための手段】
【０００６】
上記の課題は、それぞれ平行に配置される第１格子戸と第２格子戸からなる引き違い式の格子付き扉であって、
第１格子戸及び第２格子戸はそれぞれ複数の格子で構成され、
該各格子は隣接する格子どうしを近接及び離間可能に連結子で連結されており、
第１格子戸及び第２格子戸のそれぞれの格子どうしが近接し、第１格子戸及び第２格子戸により開口部を閉鎖する閉鎖状態と、第１格子戸と第２格子戸のそれぞれの格子が離間し、第１格子戸と第２格子戸の格子同士を相対して配置し、開口部にスリットを形成する開放状態とに切り替え可能であることを特徴とする格子付き扉により解決される。
【０００７】
この格子付き扉では、この格子付きの扉は、複数の格子で構成された格子戸の、それぞれの格子が隣接する格子どうしを近接及び離間可能に連結子で連結されているため、格子付き扉の閉鎖状態と開放状態の切り替えにおいて、第１格子戸及び第２格子戸の格子をそれぞれ近接させて格子どうしを連続させ、第１格子戸及び第２格子戸をスリットのない扉としたうえで、引き違い状態に配置することで閉鎖状態にすることができる。また、第１格子戸及び第２格子戸の格子をそれぞれ離間させ、第１格子戸及び第２格子戸をスリットのある扉としたうえで、第１格子戸と第２格子戸の格子同士を相対して配置することで開放状態にすることができる。
【０００８】
このため、開放状態においては、通常の無双窓と同じ、平行に配置されたスリットのある格子戸がスリットの位置を同じにした開放状態となるのに対し、閉鎖状態においては、スリットのない扉を引き違い扉として開口部を閉じた状態となるので、無双窓のように、平行に配置された格子戸のスリットどうしが交互に配置され召し合わせ部を設けることなく、閉鎖状態を実現することができるので、召し合わせ部を有するがために生じる遮音性能の低下や光漏れを防止することができ、遮音性や光漏れを防止する閉鎖状態を実現することができる。
【０００９】
上記の実施形態において、第１格子戸の一方の端部側の操作対象格子と、該第１格子戸の該操作対象格子と反対側の格子と同じ側にある、第２格子戸の操作対象格子とが、一方の格子の移動と連動して移動するように連結されているとよい。
【００１０】
第１格子戸と第２格子戸の操作対象格子どうしが、一方の格子の移動に連動して移動するように連結されているので、第１格子戸と第２格子戸の操作対象格子のうち、いずれか一方を操作すれば、他方の格子戸も移動するため、格子付き扉の開閉において、第１格子戸と第２格子戸のそれぞれを操作する必要がなく、簡単に、格子戸付き扉の開閉を切り替えることができる。
【００１１】
また、前記第１格子戸及び前記第２格子戸の操作対象格子とは反対側の格子が、それぞれ開口部の枠体に固定されているとよい。
【００１２】
この場合、操作対象格子戸の操作にあわせて、第１格子戸及び第２格子戸の操作対象格子と反対側の格子が動いてしまうことがないので、格子戸の開閉操作をよりいっそう簡単に実現することができる。
【発明の効果】
【００１３】
本発明は以上のとおりであるから、閉鎖時の遮音性や光漏れ防止性能の高い、閉鎖状態と開放状態を切り替えることができる格子付き扉を提供することができる。
【図面の簡単な説明】
【００１４】
【図１】本発明の実施形態の格子付き扉を示す斜視図である。
【図２】格子戸の格子どうしの連結状況を示す図であって、図（イ）は、格子どうしが離間している状況を示す断面図、図（ロ）は正面図、図（ハ）は、格子どうしが近接している状況を示す断面図である。
【図３】図３は、第１格子戸と第２格子戸が連結している状況を示す断面図である。
【図４】図（イ）〜（ハ）は、閉鎖状態から開放状態への切り替え状況を示す断面図である。
【発明を実施するための形態】
【００１５】
次に、本発明の実施形態を図面に基づいて説明する。
【００１６】
図１に示す本発明の実施形態の格子付き扉１は、開口部の左右の枠体である方立９，１０、下側の枠体である敷居１１、及び上側の枠体である図示しない鴨居で囲まれた空間に配置される引き違い式の格子付き扉である。
【００１７】
第１格子戸２及び第２格子戸３は、図１及び図２に示すように、それぞれ複数の格子２ａ，２ｂ，２ｂ，２ｃ及び格子３ａ，３ｂ，３ｂ，３ｃからなり、それぞれの格子は、短冊状をした格子本体部４‥と、格子本体部４‥の上部の連結機構部５‥からなる。連結機構部５‥は、内部空洞の函体からなり、それぞれの連結機構部５‥は、連結子６‥で連結されている。連結子６は、軸部６ａと、軸部６ａの先端部に連続し軸部６ａから側方に延びる鉤部６ｂとからなり、軸部６ａの基端側６ｃは、連結機構部５‥の側面に連結されている。連結機構部５‥の連結子６が取り付けられる側と反対側には、孔５ａが設けられ、孔５ａを介して連結子６が挿通され、鉤部６ｂにより、抜き取り不能で、近接及び離間可能に格子どうしが連結されている。
【００１８】
格子２ａ，２ｂ，２ｂ，２ｃ及び格子３ａ，３ｂ，３ｂ，３ｃどうしの間隔を調整することで、図２（イ）に示す、それぞれの格子の間隔を離す離間状態と、図２（ハ）に示す、それぞれの格子を連設する近接状態に切り替えることができる。また、一部の格子間で近接させ、一部の格子間で離間させることも可能であるし、離間させる距離を短くすることも可能である。
【００１９】
第１格子戸２の格子は、方立９に固定される一方の端部側の固定格子２ｃと、固定格子２ｃと反対の端部側の移動可能な操作対象格子２ａと、固定格子２ｃ及び操作対象格子２ａの中間部の移動可能な中間格子２ｂ，２ｂからなる。同様に第２格子戸３の格子は、方立１０に固定される一方の端部側の固定格子３ｃと、固定格子３ｃと反対の端部側の移動可能な操作対象格子３ａと、固定格子３ｃ及び操作対象格子３ａの中間部の移動可能な中間格子３ｂ，３ｂからなる。図１に示すように、第１格子戸２と第２格子戸３のそれぞれの固定格子２ｃ，３ｃは、同じ方向側にあるのではなく、それぞれ方立９，１０側の格子が固定格子となっている。同様に、第１格子戸２と第２格子戸３のそれぞれの操作対象格子２ａ，３ａは、同じ方向側にあるのではなく、それぞれの固定格子２ｃ，３ｃと反対側の格子が操作対象格子となっている。
【００２０】
図３に示すように、第１格子戸２の操作対象格子２ａと、第２格子戸３の操作対象格子３ａとは、連結体７で連結されており、操作対象格子２ａを操作することにより、操作対象格子２ａの動きに連動して、操作対象格子３ａも動くようになっており、また、操作対象格子３ａを操作することにより、操作対象格子３ａの動きに連動して、操作対象格子２ａも動くようになっている。なお、第２格子戸３の中間格子３ｂ，３ｂ及び固定格子３ｃの連結機構部５‥には、連結体７を挿通するための孔１１‥が穿通されている。
【００２１】
連結体７は、引っ張りにも圧縮に対応し、伸びたり、座屈することなく力を伝達できるものであればよく、例えば、チェーンや座屈を拘束されたワイヤーなどが使用される。方立１０内の８は、方立１０内での連結体７の方向を１８０度折り返すことを誘導する回転体である。
【００２２】
格子付き扉１の使用は次のようにして行われる。
【００２３】
図４（イ）に示す格子付き扉１の閉鎖状態では、第１格子戸２及び第２格子戸３のそれぞれの格子２ａ，２ｂ，２ｂ，２ｃ及び３ａ，３ｂ，３ｂ，３ｃどうしが互いの側面を接して連設し、スリットのない扉を形成するとともに、第１格子戸２及び第２格子戸３が互いに位置を異ならせた引き違い状態で、開口部を閉鎖する。
【００２４】
この閉鎖状態では、第１格子戸２及び第２格子戸３を構成するそれぞれの格子が互いの側面を接して連設しており、また、第１格子戸２と第２格子戸３との召し合わせ部１２が一箇所しかできないため、召し合わせ部の密閉性が確保され、遮音性が高く、光漏れが防止される閉鎖状態を実現することができる。
【００２５】
特に、召し合わせ部は、第１格子戸２の操作対象格子２ａと、第２格子戸３の操作対象格子３ａどうしが、相対して配置されるので、より一層召し合わせ部の密閉性が確保され、遮音性が高く、光漏れが防止される閉鎖状態を実現することができる。
【００２６】
この閉鎖状態から、スリットによる開放状態へは次のようにして切り替えられる。
【００２７】
図４（ロ）に示すように、第２格子戸３の操作対象格子３ａを、第１格子戸２が当接している方立９側へ移動させると、操作対象格子３ａの移動に伴って、操作対象格子３ａの連結子６が操作対象格子３ａに連設する中間格子３ｂの連結機構部５から引き出され、連結子６の鉤部６ｂに連結機構部５が係合されて、隣接する操作対象格子３ａの動きにあわせて、中間格子３ｂが引き動かされる。
【００２８】
また、第２格子戸３の操作対象格子３ａと、第１格子戸２の操作対象格子２ａは連結体７で連結されているため、操作対象格子３ａを方立９側へ移動させると、方立１０内に設けられた回転体８により向きを変えられて、操作対象格子３ａの動きにあわせて、操作対象格子２ａは方立１０方向へ移動する。
【００２９】
第１格子戸２は、第２格子戸３と同様に、第１格子戸２の操作対象格子２ａが、第２格子戸３が当接している方立１０側へ移動すると、操作対象格子２ａの移動に伴って、操作対象格子２ａの連結子６が操作対象格子２ａに連設する中間格子２ｂの連結機構部５から引き出され、連結子６の鉤部６ｂに連結機構部５が係合されて、隣接する操作対象格子２ａの動きにあわせて、中間格子２ｂが引き動かされる。
【００３０】
図４（ハ）に示すように、第２格子戸３の操作対象格子３ａを、方立９に当接するまで移動させると、第２格子戸３を構成する格子戸３ａ，３ｂ，３ｂ，３ｃは、それぞれをつなぐ連結子６‥が引っ張られる形で、それぞれ間隔をあけて配置され、また、また操作対象格子３ａの移動により引っ張られて、第１格子戸１の操作対象格子２ａが、方立１０に当接するまで移動し、第１格子戸２を構成する格子戸２ａ，２ｂ，２ｂ，２ｃは、それぞれをつなぐ連結子６‥が引っ張られる形で、それぞれ間隔をあけて配置される。
【００３１】
また、第１格子戸２の方立９側の固定格子２ｃ及び第２格子戸３の方立１０側の固定格子３ｃは、それぞれ方立９，１０に固定されているため、閉鎖状態から開放状態の切替え時に、固定格子２ｃ，３ｃが動き出すことなく、操作対象格子２ａ，３ａの移動にともなって、格子を均等に配置することができる。
【００３２】
そして、開放状態では、一方の方立９側からもう一方の方立１０側まで、第１格子戸２及び第２格子戸３の格子が、それぞれの格子が相対する形で配置されるため、開口部にスリットを形成することができ、通風や採光を確保することができる。
【００３３】
一方、開放状態から閉鎖状態への切り替えは、上記とは逆に、第１格子戸の操作対象格子２ａを操作し、第１格子戸２が当接している方立９側に移動することで、閉鎖状態にすることができる。
【００３４】
以上に、本発明の実施形態を示したが、本発明はこれに限られるものではなく、発明思想を逸脱しない範囲で各種の変更が可能である。例えば、上記の実施形態では、格子戸を構成する格子が４体の場合について示したが、格子の数に制限はなく、４体より多くてもよく、また少なくてもよい。
【００３５】
また、上記実施形態では、格子どうしを連結する連結子、および第１格子戸と第２格子戸を連結する連結体を収納する連結機構部を格子戸の上端部に設けた場合について示したが、連結機構部の位置に制限はなく、格子戸の高さ方向中間部であってもよいし、下端部であってもよいし、また、格子の上端に設け、鴨居の中に隠すようにしてもよい。
【００３６】
また、上記の実施形態では、召し合わせ部は、第１格子戸の操作対象格子と、第２格子戸の操作対象格子どうしが、相対して配置される場合について、示したが、それぞれの操作対象格子どうしが相対せず、端部を接して配置されてもよい。さらに、召し合わせ部の密閉性を高めるために、格子の召し合わせ部に密閉のためのパッキン等を設けてもよいのはいうまでもない。
【００３７】
さらに、連結子について、本実施形態については、格子の幅と略同じ寸法の連結子としたが、連結子の軸部が多段的に伸縮でき、連結子の長さを調整することで、格子の幅と各格子間の間隔を異ならせるようになっていてもよい。
【符号の説明】
【００３８】
１・・・格子付き扉
２・・・第１格子戸
２ａ・・・操作対象格子
２ｂ・・・中間格子
２ｃ・・・固定格子
３・・・第２格子戸
３ａ・・・操作対象格子
３ｂ・・・中間格子
３ｃ・・・固定格子
４・・・ 格子
５・・・連結機構部
６・・・連結子
７・・・連結体
８・・・回転体
９，１０・・・方立
１１・・・敷居
【図１】
2010222835.tif 000003
【図２】
2010222835.tif 000004
【図３】
2010222835.tif 000005
【図４】
2010222835.tif 000006